Podtech/llm-jp-corpus-v4-ja_patent huggingface dataset:
(57)【要約】      （修正有）【課題】ワークに温度上昇を発生させず、後工程のリークテストへの短時間でのワーク供給と温度が安定したリークテスト実施環境を提供することが出来る洗浄装置。【解決手段】常温の洗浄液３が満たされた洗浄タンク２内にクランプ６に保持されたワーク７を挿入して、洗浄タンク２内に設置されたノズル５から吐出したエアーとプロペラ４の回転により発生した渦巻き水流により発生するミキシングエアー入り洗浄液３をワーク７に当てる事によりワーク７に付着した切粉、切削油等の異物を除去する。【選択図】図１
2012170952.tif 000002
【特許請求の範囲】
【請求項１】
常温の洗浄液が満たされた洗浄タンクにクランプで保持されたワークを挿入して、洗浄タンク内に設置されたノズルから吐出したエアーとプロペラの回転により発生した渦巻き水流により発生するミキシングエアー入り洗浄液をワークに当てる事によりワークに付着した切粉、切削油等の異物を除去する洗浄装置。
【請求項２】
請求項１において、ワークの温度変化を発生させず、常温のまま後工程のリークテストへワークを供給することが出来る請求項１の洗浄装置。
【発明の詳細な説明】
【発明の詳細な説明】
【技術分野】
【０００１】  本発明はシリンダブロック等エンジン部品製造時のワークに付着した切粉、切削油等の異物を除去する洗浄装置に関する。
【背景技術】
【０００２】  安全性が求められる自動車産業では、高精度な品質検査が求められている。リークテスト（漏れ検査）は、ワークに圧力をかけ、漏れによって生じる圧力変化を検出する検査であり、とりわけ、シリンダブロック等エンジン部品の製造には欠かせない検査であるが、更なる検査精度の向上には、前工程のワーク洗浄工程との関連性が重要であり、高性能な洗浄装置の開発が求められている。【０００３】  現在の洗浄装置は、洗浄能力及び洗浄後の乾燥を要求されている。洗浄能力確保の為には高圧ポンプを使用し、高圧洗浄により洗浄を行っている。又、洗浄後の乾燥についてはエアーブローにより水分を吹き飛ばす方法をとっている。しかし、これらの工程によって、ワークに温度変化を与えてリーク検査が不安定検出になってしまっている。不安定検出を解決する為に洗浄装置とリークテスト機の間にコンベアを設け、ワーク温度を常温にする工程がとられている。
【発明が解決しようとする課題】
【０００４】  本発明の解決しようとする課題は、（１）高圧ポンプ洗浄による温度上昇（２）リークテスト機に与える不安定検出（３）ワーク温度を常温にするためのコンベア用スペースの廃止（４）導入コストの低減をなしうる洗浄装置を提供することにある。
【課題を解決するための手段】
【０００５】  上述の課題を解決するため、本発明のワークに付着した切粉、切削油等の異物を除去する洗浄装置によれば、常温の洗浄液が満たされた洗浄タンク内にエアー吐出ノズル、渦巻き水流発生用プロペラ、ワーク保持用のクランプ、洗浄液供給口、排水溝からなることを特徴とする。
【発明の効果】
【０００６】  本発明は、常温の洗浄液が満たされた洗浄タンクにクランプに保持されたワークを挿入して、ノズルから吐出したエアーとプロペラの回転により発生した渦巻き水流により発生するミキシングエアー入り洗浄液をワークに当てる事によりワークに付着した切粉、切削油等の異物を除去するので、高圧ポンプ洗浄で発生するワークの温度上昇が無く、リークテスト機の不安定検出をなくすことが出来、ワーク温度を常温にするためのコンベアを設置する必要が無く、低コスト化、小型化が図られる。
【発明を実施するための形態】
【０００７】  以下、添付図面を用いて本発明を具体的に詳述する。
【０００８】  図１は本発明による洗浄装置の具体例の一つを示した断面図である。
【０００９】  本発明洗浄装置１は図１に示すように、常温の洗浄液３が満たされている洗浄タンク２、洗浄タンク２内部にプロペラ４、ノズル５があり、ワーク用クランプ６、洗浄液供給口８、排水溝９から主に構成される。
【００１０】  クランプ６に保持されたワーク７は常温の洗浄液３が満たされている洗浄タンク２に挿入される。洗浄タンク２内では、ノズル５から吐出したエアーとプロペラ４の回転により発生したミキシングエアー入り渦巻き水流が発生している。
【００１１】  ワーク７には、渦巻き水流により発生するミキシングエアー入り洗浄液３が当り、ワーク７内部に入り込むことにより、ワーク７に付着した切粉、切削油等の異物がワーク７より除去される。
【００１２】ワーク７より除去された切粉、切削油等の異物は、洗浄タンク２底面のプロペラ４より発生する洗浄液３の渦巻き水流により洗浄タンク２より溢れ出す洗浄液３と共に洗浄タンク２より流出して、排水溝９より洗浄装置１の外部へ流出する。流出した洗浄液３は、切粉、切削油等の異物を除去後、洗浄タンク２の底面の洗浄液供給口８より洗浄タンク２に供給される。
【００１３】  クランプ６が上昇して、洗浄タンク２から出て、ワーク７の保持を開放し洗浄工程が終了となる。
【産業上の利用可能性】
【００１４】  本発明の洗浄装置は常温の洗浄液が満たされている洗浄タンク内にて、ノズルから吐出したエアーとプロペラの回転により発生した渦巻き水流により発生するミキシングエアー入り洗浄液をワークに当てて洗浄することによって、高圧ポンプ洗浄で発生するワークの温度上昇が無く、リークテスト機の不安定検出をなくすことが出来、ワーク温度を常温にするためのコンベアを設置する必要が無く、低コスト化、小型化が図られる為、産業上の利用可能性が高い。
【図面の簡単な説明】
【００１５】
【図１】本発明による洗浄装置の具体例の一つを示した断面図である。
【符号の説明】
【００１６】１  洗浄装置
２  洗浄タンク
３  洗浄液
４  プロペラ
５  ノズル
６  クランプ
７  ワーク
８  洗浄液供給口
９  排水溝
【図１】
2012170952.tif 000003
(57)【要約】【課題】  噴出させる水の総量が多くなっても、眼に優しく、水が飛散しにくい、洗眼用ノズルおよびシャワー洗眼器を提供する。【解決手段】  片方の眼に相対するシャワーノズルであって、該シャワーノズルは複数の噴水孔を有し、各噴水孔から噴出する水が所定の高さにおいて相互に衝突するように噴水孔の向きが設定されている洗眼用ノズル、および当該洗眼用ノズルを平均的な大人の眼の間隔とほぼ等しい間隔で二つ備えるシャワー洗眼器。【選択図】  図１
2012170582.tif 000002
【特許請求の範囲】
【請求項１】
片方の眼に相対するシャワーノズルであって、該シャワーノズルは複数の噴水孔を有し、各噴水孔から噴出する水が所定の高さにおいて相互に衝突するように噴水孔の向きが設定されている洗眼用ノズル。
【請求項２】
請求項１に記載の洗眼用ノズルを備えるシャワー洗眼器。
【発明の詳細な説明】
【技術分野】
【０００１】
本発明は、洗眼用ノズルおよびシャワー洗眼器に関し、より具体的には、噴出させる水の量が多くなっても、眼に優しく、水が飛散しにくい、洗眼用ノズルおよびシャワー洗眼器に関する。
【背景技術】
【０００２】
有機溶剤などの薬剤を使用する工場や研究所などには、薬剤等が目に入った場合に、直ちに大量の流水で眼を洗浄するためにシャワー洗眼器が設置されている。このようなシャワー洗眼器として、例えば、特許文献１には、複数の穴を有する洗眼用ノズルを備えるシャワー洗眼器が開示されている。
【先行技術文献】
【特許文献】
【０００３】
【特許文献１】特開平８−２２９０９５号公報
【発明の概要】
【発明が解決しようとする課題】
【０００４】
しかしながら、従来のシャワー洗眼器では、噴出させる水の量が多くなると噴出水の水圧が高くなって、眼を傷めることがあった。また、工場や研究所に緊急用として設置されるシャワー洗眼器は、定期的に通水点検を行う必要があるが、コックが固くなっている場合などには流量の調整が難しく、点検の際に墳出水が天井にまで達するなどの問題があった。
そこで、本発明の課題は、噴出させる水の量が多くなっても、眼に優しく、水が飛散しにくい、洗眼用ノズルおよびシャワー洗眼器を提供することである。
【課題を解決するための手段】
【０００５】
本発明者は、上記課題を解決するために検討した。その結果、片方の眼に相対する洗眼用シャワーノズルにおいて、該シャワーノズルに設けられた複数の噴水孔の向きを特定の方向に設定することによって各噴水孔から噴出する水が所定の高さにおいて相互に衝突するようにしたところ、噴出させる水の量が多くなっても、眼に優しく、水が飛散しにくいことを見出した。本発明はこの知見に基づいて完成するに至ったものである。
【０００６】
すなわち、本発明は以下の態様を包含するものである。
〔１〕片方の眼に相対するシャワーノズルであって、該シャワーノズルは複数の噴水孔を有し、各噴水孔から噴出する水が所定の高さにおいて相互に衝突するよう噴水孔の向きが設定されている洗眼用ノズル。
〔２〕前記〔１〕に記載の洗眼用ノズルを備えるシャワー洗眼器。
【発明の効果】
【０００７】
本発明の洗眼用ノズルおよびシャワー洗眼器は、噴出させる水の量が多くなっても、眼に優しく、水が飛散しにくい。
【図面の簡単な説明】
【０００８】
【図１】本発明の洗眼用ノズルおよびシャワー洗眼器の一実施形態を示す正面図、天面図および側面図である。
【図２】図１に示した洗眼用ノズルの断面図である。
【発明を実施するための形態】
【０００９】
本発明の好適な実施の形態について、図面に基づいて詳細に説明する。
本実施形態における洗眼用ノズルは、片方の眼に相対するシャワーノズル１である。
シャワーノズル１は複数の噴水孔を有している。噴水孔の数は、複数であれば特に限定されないが、水が相互に衝突し易い点で、好ましくは６以上である。
本実施形態におけるシャワーノズル１は、噴水孔２および噴水孔３を有している。図１のシャワーノズルでは、噴水孔２と、対称的に配置された噴水孔３とを有する。破線４は、図２の断面を示している。本発明のシャワーノズルでは、各噴水孔の口径において特に制限されないが、噴水孔２の口径よりも噴水孔３の口径が大きい方が好ましい。
該シャワーノズルの材質は特に限定されず、金属製、樹脂製などが挙げられる。耐薬品性、耐久性、防錆性の点で、ステンレス製であると好ましい。
【００１０】
図２中の矢印は、噴水孔の向きを示している。噴水孔２および３の向きは、各噴水孔から噴出する水が所定の高さにおいて相互に衝突するようになっている。噴水孔３は内向きに傾斜されている。各噴水孔から噴出する水が相互に衝突する高さは特に限定されないが、洗眼が容易にできるなどの点を考慮して、適宜選択することができる。各噴水孔から噴出する水が所定の高さにおいて相互に衝突することによって、大水量である場合であっても、流速が抑えられるので、眼に優しく、水流が撹乱されているので、洗浄効率が高い。
【００１１】
本発明のシャワー洗眼器は、前記の洗眼用ノズルを備えてなるものである。
図面に示した本実施形態のシャワー洗眼器５は、両眼に相対するように洗眼用ノズル１を二つ備えている。二つの洗眼用ノズルの間隔は、平均的な大人の眼の間隔とほぼ等しい。二つの洗眼用ノズルは、両眼に対して噴出水が直角に当たるように配置してもよいし、両眼に対して噴出水が外から内に向かって当たるように配置してもよい。
【符号の説明】
【００１２】
１・・シャワーノズル
２・・噴水孔
３・・噴水孔
４・・断面を示す線
５・・シャワー洗眼器
【図１】
2012170582.tif 000003
【図２】
2012170582.tif 000004
(57)【要約】【課題】洗濯物干しハンガー使用のおいて、多数の洗濯バサミを使用する事となるが、使用状態が高い位置で、片手で洗濯物を持ち上げ、片手で洗濯バサミで止める動作となり,洗濯籠を床に置おいた場合、一品ずつ物干しハンガーと洗濯籠との間を往復する運動となってしまう。【解決手段】洗濯物干しハンガー本体と洗濯バサミ吊るし部の間を、磁力又は差込式とし、本体の洗濯バサミ吊るし部のフレーム内で磁石または差込部押さえがスライド可変により、磁力や押さえ部の保持力を変化させることで脱着可能とした。これらにより、洗濯機より洗濯籠に移す場合、サイドケースに置かれた洗濯バサミを取り付けてしまう事や、籠内にて順に取り付けながら、洗濯物干しハンガー吊るし部へまとめて持って行く事が出来る。また洗濯物を取り込む場合も、吊るし部が一連で可変するためまとめて取り込むことができる。【選択図】図１
2012170565.tif 000002
【特許請求の範囲】
【請求項１】
物干し本体と洗濯バサミの結合部を脱着式とし、その結合に磁石を用い本体洗濯バサミ結合部
の磁力を変化させ、洗濯バサミの取り付け取り外しを行ことができる洗濯物干しハンガー
【請求項２】
前項記載の洗濯バサミと本体の脱着固定部を可変差込式とした洗濯物干しハンガー
【発明の詳細な説明】
【技術分野】
【０００１】
本発明は、洗濯バサミとハンガー本体の接合吊るし部において、脱着が容易な洗濯ハンガーである。
【背景技術】
【０００２】
従来の洗濯物干しハンガーは、本体に洗濯バサミを固定または吊るして置き、その場において
洗濯バサミの保持力を利用し、洗濯物の取り付け取り外しを行ってきた。
【先行技術文献】
【特許文献】
【０００３】
【特許文献１】特開2007-282875
【発明の概要】
【発明が解決しようとする課題】
【０００４】
しかし、洗濯物を取りこむ以上に時間や手間のかかる作業が吊るす場合である。
それは、洗濯物干しハンガーが通常高所で、洗濯バサミで挟む作業も腕を伸ばし
た作業と、床に置いた洗濯籠の往復作業のためである。
これらの作業がし易く効率よい構造とする。
【課題を解決するための手段】
【０００５】
洗濯物干しハンガー本体フレームと洗濯バサミ吊るし部が、必要に応じ自在に脱着出来ることを
特徴とし、作業性の向上を図る。
【発明の効果】
【０００６】
洗濯物干しハンガー本体と洗濯バサミ吊るし部を容易に脱着出来る構造にすることで、
瞬時に取り込める他、洗濯バサミで洗濯物を挟む工程場所を変えることができる。
例えば洗濯籠のサイドポケットに置かれた洗濯バサミを洗濯機より取り出す時点で挟む事や、
籠上で数枚まとめて取り付け、本体吊るし部へ吊るす事が出来るため、
本体を移動させることなく無理な姿勢での作業を軽減できる。
【図面の簡単な説明】
【０００７】
【図１】脱着部に磁力連結装置を用いた断面図  （実施例１）
【図２】脱着部に自在差込装置を用いた断面図  （実施例２）
【発明を実施するための形態】
【０００８】
洗濯物干しハンガー本体と洗濯バサミ吊るし部を容易に脱着させるため、
保持部に磁力または自在な差込構造とし、磁力の強弱または自在差込部の
加圧変化で容易に脱着可能とする。
【実施例】
【０００９】
図1は本発明で磁力を用いた脱着装置の１実施例の断面図であって、１〜４は、図２と同様である。５は磁場に取り付く鉄板で、６は磁石である。
【００１０】
本体フレーム方向に通された回転軸２の内部に磁石６と回転軸２の金属部で磁場を作る、
金属部は洗濯バサミの吊るし易い幅で等間隔に複数配置する、洗濯バサミ下げ紐３の上部には、磁石に吸着する金属板５があり、これにより吊るされる。
【００１１】
本体フレーム１の端部で回転軸２を回転させることで、磁石６が回転移動するため、
鉄板５に磁界の強弱を与える事ができ、吊るす時は吊り下げ部に磁石６を置き吸い付かせ、
取り込み時は、吊り下げ部より磁石６を回転移動させ離すことで磁力が弱まり、
楽に引き離すことが出来る。
【００１２】
図2は本発明で自在差込を用いた脱着装置の2実施例の断面図である。
吊り下げ部の自在止め具は洗濯バサミ取り付けスペースごとの長さで区切られ個別の動きができこれに差し込まれた洗濯バサミ吊るし紐３が、自在止め具７を斜め上方に押し広げ挿入さる、
吊るし紐３に下方の力が加わると自在止め具７が下げ締める
洗濯バサミ吊るし部の開放は回転軸に繋がれた個々の、止め具巻上げ紐８により引き上げられることにより緩められる。
【産業上の利用可能性】
【００１３】
本発明は洗濯バサミを大量にぶら下げる場合、脱着に効果を発揮するもので、
物干し竿の様な一連多数で使用する場合効果を発揮する。
【符号の説明】
【００１４】
１  ハンガー本体フレーム
２  脱着可変回転軸
３  洗濯バサミ吊るし紐
４  洗濯バサミ
５  磁力用金具
６  磁石
７  自在止め具
８  止め具巻上げ紐
A  回転方向
B  脱着方向
【図１】
2012170565.tif 000003
【図２】
2012170565.tif 000004
(57)【要約】【課題】  コードにファスナーエレメント４を設けることによりコードを螺旋状に収納できるコード収納を提供する。【解決手段】  コードにファスナーを設けることによりコードを螺旋状に収納できるコード収納。【選択図】図４
2012170039.tif 000002
【特許請求の範囲】
【請求項１】
コードにファスナーを着けることにより使用時にはまっすぐになるが収納時には一塊にまとめることができる機能を備えることを特徴とするコード収納。
【請求項２】
コードの両側にファスナーエレメントを取り付けることによりコードを螺旋状に閉じることができることを特徴とするコード収納。
【発明の詳細な説明】
【技術分野】
【０００１】  本考案は絡まりやすいコードを絡まりにくくするものである。
【背景技術】
【０００２】  従来、イヤホンコード等、長いコードを使用する際や収納する際にコードが絡まり、解くのに手間がかかった。
【発明の開示】
【発明が解決しようとする課題】
【０００３】  イヤホンコードやマイクコード等長いコードは使用の際や収納の際に絡まりやすく解くのに手間がかかった。そこで本考案はコードにオープンファスナーの機能を持たせ絡まりにくくすることで今までの欠点を解決しようと考案されたものである。
【課題を解決するための手段】
【０００４】  上記の目的を達成するために、本考案はコードにオープンファスナーの機能をつけることによりコードを使用する際にはファスナーを開け収納する際にはファスナーを閉め一塊にまとめ絡まりにくくする構造を考えた。
【発明の効果】
【０００５】  本考案のファスナー付きコードはファスナーを閉じることで一塊になり収納しやすくなる。使用する際には適当な長さまでファスナーを開けばコードがぶらつかず邪魔にならない。
【発明を実施するための最良の形態】
【０００６】  オープンファスナーを使うことで、使用時コードがまっすぐな１本の線になる。
【実施例】
【０００７】  ここではイヤホンコード２を例に取り下図面に沿って説明する。図１はオープンファスナーを開いた状態のイヤホンの全体図である。ファスナーテープ７の両端にエレメント４が設けられておりその中央をイヤホンコード２が取り付けられている。ファスナーテープ７を使わずコード２に直接エレメント４を取り付けることも可能である。イヤホンジャック３の手前にファスナーヘッド下止５と５´が付いておりイヤホンヘッド１の手前にはファスナーヘッド上止８と８´が付いている。【０００８】  具体的な使用法として図２に示すようにファスナーヘッド下止５と５´をファスナースライダー６で閉じる。もとより５と５´は、ずらせて設けてあるので閉じると輪ができる。また、５と５´の、ずらせる長さを変えることで輪の大きさを変えることができる。【０００９】  ファスナースライダー６で閉めてゆくと図３のように螺旋状に閉まっていき、図４に示すようにファスナーヘッド上止８と８´まで閉めると筒状にまとまる。ファスナーヘッド上止８と８´もファスナーヘッド下止５と５´同様ずらせて設けてある。【００１０】  また筒状になることで輪の中が入れ物としてイヤホンヘッド１やイヤホンジャック３を内に収納することもできる。【００１１】  ファスナーテープ７部分にイラストやロゴ、コマーシャルを印刷することもできデザイン的にも楽しめる。【００１２】  ファスナーテープ７を袋状にして中にイヤホンコード２を通す構造にすればコードを隠すこともでき、コードがいたまない。【００１３】  以上のように従来より使用時収納時にいちいち手間を掛けて解かなければならなかったコードを簡単に絡まりを解決できる機能を提供する。また携帯にもおしゃれで便利である。【００１４】  イヤホンコードを例に取って説明してきたが、この機能をつけると、電子機器のコード、マイクや延長コード、ケーブル等コードを絡ませずまとめて収納できるので非常に便利である。
【図面の簡単な説明】
【図１】オープンファスナーを開いた状態のイヤホンの全体図
【図２】使用時始の説明図
【図３】使用時途中の説明図
【図４】本考案の完成図
【符号の説明】１イヤホンヘッド
２イヤホンコード
３イヤホンジャック
４ファスナーエレメント
５ファスナーヘッド下止
６ファスナースライダー
７ファスナーテープ部分
８ファスナーヘッド上止
【図１】
2012170039.tif 000003
【図２】
2012170039.tif 000004
【図３】
2012170039.tif 000005
【図４】
2012170039.tif 000006
(57)【要約】      （修正有）【課題】インジェクション成型またはプレス成型で、蓋形状の携帯端末用（携帯電話やスマートホーン等）のカバーを形成し、次に、この形成されたカバーを販売展示店に並べて、購入を決めた、訪れたユーザーの希望する独自性の意匠的な、デザインを店先で、このカバーにオリジナル装飾を施し、提供する。【解決手段】インジェクション成型あるいはプレス成型にて、蓋形状のクリスタルカバー３、（または無地の樹脂系やアルミ系のカバー含む）を形成する。つぎに携帯端末である、スマートホーン１の表面側２より取り付けて、着脱自由に使用できるようにしたクリスタルカバー３に、店頭先にて顧客の求める、オリジナルデザイン装飾４を実演販売加工５する。【選択図】図２
2012170038.tif 000002
【特許請求の範囲】
【請求項１】
インジェクション成型あるいはプレス成型にて、蓋形状のクリスタルカバー（３）、（またさらに無地の樹脂系やアルミ系のカバー含む）を形成する、つぎに携帯端末である、スマートホーン（１）の表面側（２）より取り付けて、着脱自由に使用できるクリスタルカバー（３）に、店頭先にて顧客の求める、オリジナルテザイン装飾（４）を実演販売加工（５）してなる、携帯端末用装飾カバー。
【発明の詳細な説明】
【技術分野】
【０００１】  本発明は、手持ちの携帯端末であるスマートホーン（１）等、自分だけのオンリーワンのオリジナルなデザインにした、オシャレなメイクアップ品として持っていたい。そしていつでも簡単に、テザインの違うものと取り替えたい。そのような希望目的を達成させる、携帯端末用装飾カバーに関するものである。
【背景技術】
【０００２】  最近の携帯電話やスマートホーン等の技術革新は、凄まじく発展しており、これら総称して携帯端末と呼ばれている。これからは、ますます携帯パソコンとして変革して行こうとしているのではないだろうか。こうした中で、各種の携帯端末は、装飾デザインが最初から決まっていて、同じデザインで生産、販売される事は当然である。
【発明の開示】
【発明が解決しようとする課題】
【０００３】  しかしながら、多くのユーザーは形は好きなんだけど、装飾デザインが今一だなぁ〜とか、世界に自分だけのオリジナルな物が持ちたいとか、実情心理は極めて個性派の方向にある。また、永く使用していると、これらの装飾デザインに飽きてくる傾向も自然と働く。その為に、自分で簡単に着脱セットするだけで、まったく異なる装飾デザイに出来ないか等、多くのユーザーは希望している。
これらを改善するために本発明はなされたのである。
【課題を解決するための手段】
【０００４】  これらの課題を解決する手段として、図１のごとくスマートホーン（１）の表面側（２）からピッタリと被せて取り付ける、着脱自由なクリスタルカバー（３）、あるいは（無地の樹脂系、アルミ系のカバーでも良い）これらのインジェクション成型あるいはプレス成型加工された各種カバー製品を、販売店頭先に展示する。そして訪れた顧客ユーザーの希望に合わせて、クリスタルカバー（３）に独特のデザイン技術力と共に、特種インクジェットプリンター（６）で、店頭にてオリジナルデザイン装飾（４）を施し、つまり実演販売加工（５）を行って、この装飾カバーを携帯端末に取り付けて、ユーザーに渡す。
本発明は以上のような構成よりなる、携帯端末用装飾カバーである。
【発明の効果】
【０００５】  多くの市販されている、携帯端末に独創的なオリジナルデザイン装飾（４）を施した、クリスタルカバー（３）を被せてセットするだけで、自分だけの個性あふれる、オシャレな携帯端末に変身する。また、携帯端末本体にカバーがセットされるので、衝撃等による破損や傷等から保護してくれる。また多目的な、カードケース等にも装飾デザイン技術で応用できる。
【発明を実施するための最良の形態】
【０００６】  図１、図２のごとく各種のスマートホーン（１）のサイズに合わせた、クリスタルカバー（３）または、（無地の樹脂系やアルミ系のカバーでも良いが）インジェクション成型もしくはプレス成型加工にて形成する。これをスマートホーン（１）等の携帯端末の、表面側（２）からピッタリと被せて取り付ける。さらに着脱自由である事を確認して、このクリスタルカバー（３）等の各種カバー形成品を、販売店頭先に展示する。そして訪れた顧客ユーザーの希望に合わせて、これらクリスタルカバー（３）に独特の意匠的デザイン技術力と共に、特種インクジェットプリンター（６）を使って、店頭にてオリジナルデザイン装飾（４）を施し、その場で実演販売加工（５）の形で、この装飾カバーを携帯端末に取り付け、ユーザーに渡す。
本発明は以上のような構成であり、これを使用せんとするときには、【０００７】  顧客のスマートホーン（１）等に合わせた、クリスタルカバー（３）を用意して、そのユーザーの希望する装飾デザインを作り出し、特種インクジェットプリンター（６）にてクリスタルカバー（３）の表面に、オリジナルデザイン装飾（４）を施す。
これを購入したユーザーは、このカバーをスマートホーン（１）等に被せて、オリジナル性を楽しみながら、着脱自在に使用する。
【図面の簡単な説明】
【０００８】
【図１】  本発明の説明斜視図である。
【図２】  本発明の実施図である。
【符号の説明】
【０００９】  １  スマートホーン
２  表面側
３  クリスタルカバー
４  オリジナルテザイン装飾
５  実演販売加工
６  特種インクジェットプリンター
【図１】
2012170038.tif 000003
【図２】
2012170038.tif 000004
(57)【要約】【課題】  緑の山椒の実は、色が鮮やかで風味と辛味が鮮烈だが、鮮度と収穫時期によって味が変わるため、これまでは佃煮の香味付や七味唐辛子等にしか利用されていなかった。従って、一般には綺麗な緑の色を活かし、且つ山椒の持つ鮮烈な風味と辛味を味わえる調味料等は存在せず、味わう事が出来なかった。  然るに、本発明は、山椒の実の新鮮な色を損なわない時期に収穫し、加工して調味料原料として保存し、年間を通じて同物品の用途に供するための原料を確保し、それを使用した山椒の実入り調味料の製造方法を提供する。【解決手段】  山椒の実は緑色に良く熟成した状態で収穫し、水洗いをし、ゴミや埃を取る。これを凍結乾燥器で乾かす。オリーブオイル、サラダオイル、粒山椒、塩、レモン酢、醸造酢と旨味調味料を適量ずつ加えてミキサーに掛け、鮮やかな緑色のソース風調味料を得る事を特徴とする。  また、卵黄を加えて、ミキサーに掛け、マヨネーズ風調味料に仕立てる方法も有る。【特許請求の範囲】
【請求項１】
山椒の実の持つ綺麗な緑色と、併せ持った独特の味や香りを活かすためと、その強すぎて生食するに合わない風味をまろやかにするため軽く茹でて直ぐ冷まし、オリーブオイル、サラダ油、塩、レモン酢、醸造酢、旨味調味料を加えてからなる加工調味料の製造方法。
【請求項２】
前記の加工調味料に入れる、きれいに洗い、軽く茹で、直ぐ冷まし、そのまま冷凍保存、又は凍結乾燥法でよく乾燥させ、風味を損なわない緑の山椒の実原料の製造方法。
【発明の詳細な説明】
【発明の詳細な説明】
【技術分野】
【０００１】この発明は、緑色の山椒の実を加工した調味油に入れたソース風、又はマヨネーズ風調味料の製造方法に関するものである。
【背景技術】
【０００２】従来、山椒の実は、七味唐辛子、佃煮、漬物等に辛味の香辛料として利用されている。
【発明が解決しようとする課題】
【０００３】山椒の実を使って、製品にその風味を付ける製造方法は色々あるが、乾燥の仕方、又、長時間漬け込む事により、山椒の実の持つ色まで損なわれると言う難点があった。
【発明の効果】
【課題を解決するための手段】
【０００４】生の山椒の実は、そのまま使うと独特のかおりや味が強いため、軽く茹でることにより、強すぎる香りと味をまろやかにする。それにオリーブオイル、サラダ油、レモン酢、醸造酢、旨味調味料を加えて山椒の強すぎるくさみをさらにやわらかくする。
軽く茹でるため、山椒の持つ本来の色は損なわれない為、綺麗な色が保てる。
本発明は、山椒の実の持つ鮮やかな緑色をそのまま活かした天然色素で料理に緑色を添える事の出来る調味料でもある。
【０００５】本来山椒の実の作用は、山椒の実の持つ効能により日持ちが良くなることと、食材の臭みを打ち消すこと等があった。また食中毒を防いでくれる。
【０００６】本発明の緑の山椒の実入り調味料を味見すると、辛味、甘味、旨みがあり、刺身用、おでん等の煮物の漬けたれ、サラダ、肉料理、調理用調味料としても用いると一段と料理をおいしくする。また食中毒もふせげる。
【０００７】無添加の健康調味料として利用できる。
【発明の実施形態例】
【０００８】第１工程  山椒の実は、熟れ過ぎるとその色が茶色くなって来るが、その山椒の実の良く熟れて変色の無い、緑の実を使用する。それで山椒の実、は５月から７月の収穫になる。収穫時期が短期間の為、沖縄から北海道までの収穫時期に合わせて、大量の実を仕入れておく。緑色に塾した固めのものを利用する。
第２工程  上記の山椒の実を水で洗い、軽く茹でる。直ぐに冷まして冷凍保存、又は凍結乾燥器で乾燥させ、色と香り辛味を損なわないようにする。
第３工程  前記山椒の実を細かく粉砕又は磨り潰し、それにオリーブオイル、サラダ油、レモン酢、醸造酢、塩、旨味調味料を加え、ミキサーに掛け、よく混ぜあわせる。これを実山椒ソース風調味料という。
第４工程  上記の調味料に卵をいれ、ミキサーに掛けとろとろの滑らかな状態にする。これを実山椒マヨネーズ風調味料という。
【利用可能性】
【０００９】刺身を食する際、醤油に山葵、刺身醤油、醤油に生姜、マリネといろいろとありますが、山椒の実ソース又は山椒の実マヨネーズも素材の風味を損なわずにおいしく召し上がれます。
山椒の実は香辛料ですが、オリーブオイル等とあわせることによって、これまでにない新しい調味料として和洋折衷に利用することが出来ます。
例えば、刺身や湯通しした肉類、茹で野菜等の付けタレとしても美味しく召し上がれます。
(57)【要約】【課題】長期保存が可能で、スフレケーキのような柔らかく、軽い食感のケーキを提供することを目的とする。【解決手段】  ホイッピングしたスフレ様のケーキの生地を容器に密封後、加熱手段としてレトルト加熱殺菌を行うことによって得られる。たとえばこのケーキを製造するための主材料の配合物としては、小麦粉１００重量部に対し、糖類５０〜１５０重量部、油脂１〜１５０重量部、熱凝固性タンパク質５〜２０重量部、乳化起泡剤３〜１０重量部がのぞましい。【選択図】なし【特許請求の範囲】
【請求項１】
小麦粉、砂糖、油脂、熱凝固性タンパク質、乳化起泡剤を主材料とすることを特徴とする、ホイップしたケーキ生地を容器に密封後、レトルト加熱殺菌することを特徴とするケーキの製造方法。
【請求項２】
小麦粉、砂糖、油脂、熱凝固性タンパク質、乳化起泡剤を主材料とすることを特徴とするホイップしたケーキ生地を容器に密封後レトルト加熱殺菌することによって得られる長期保存可能なスフレケーキ風のケーキ。
【請求項３】
ホイップした生地を容器に密封後、加熱手段としてレトルト加熱殺菌を行うスフレ風ケーキを製造するための主材料の配合物であって、小麦粉１００重量部に対し、糖類５０〜１５０重量部、油脂１〜１５０重量部、熱凝固性タンパク質５〜２０重量部、乳化起泡剤３〜１０重量部を含むことを特徴とするスフレ風ケーキ用主材料配合物。
【発明の詳細な説明】
【技術分野】
【０００１】  本発明はホイッピングしたケーキ生地を密閉容器に充填し、加熱手段として、レトルト加熱機を使って得られるスフレ様のケーキ、およびその製造方法に関する。
【背景技術】
【０００２】  通常、スフレは砂糖、卵をホイッピングし小麦粉を混ぜ込んでできた生地を焼成して得られる。非常に柔らかく滑らかな食感で人気がある。しかし腐敗しやすく日持ちが良くないという欠点がある。もしもこの菓子が長期保存できるものになれば、好きな時に食べられ、贈答品などにもすることができるため、非常に便利な製品となる。【０００３】  スフレケーキの日持ちを良くするには、配合する糖質の量を多くして水分活性を低くしたうえで、脱酸素剤や、アルコール製剤などを使う方法がある。しかし、糖質を多くしたものは食感が重くなり、スフレらしさが失われてしまう。
【発明の開示】
【発明が解決しようとする課題】
【０００４】  上記したように、スフレケーキは、嗜好性が高いが、早期の腐敗や経時的劣化が避けられない。【０００５】  本発明は、このような事情に鑑み、長期保存が可能で、長期保存後もスフレケーキのように柔らかく、軽い食感のケーキを提供することを目的とする。
【課題を解決するための手段】
【０００６】  上記目的を達成するため、本発明者らは鋭意検討を重ねた結果、小麦粉、砂糖、油脂、熱凝固性タンパク質、乳化起泡剤を主材料とし、ホイッピングした生地を容器に密封後、加熱手段としてレトルト加熱殺菌を行うことによって食感、味、外観等、通常のスフレと同等の品質を有し、長期的に保存が可能なケーキが得られることを見出し、本発明をなすに至ったものである。【０００７】  即ち本発明が提供するスフレ様のケーキは小麦粉、砂糖、油脂、熱凝固性タンパク質、乳化起泡剤を主材料とすることを特徴とするスフレ様のケーキであって、これらの材料をホイッピングしたのち容器に密封、加熱手段として、レトルト加熱殺菌を行うことを特徴とする。【０００８】  本発明はまた、加熱手段としてケーキ生地を容器に密封後、レトルト加熱殺菌を行うケーキを製造するための主材料の配合物であって、小麦粉１００重量部に対し、糖類５０〜１５０重量部、油脂１〜１５０重量部、熱凝固性タンパク質５〜２０重量部、乳化起泡剤３〜１０重量部を含むことを特徴とするケーキ用主材料配合物を提供する。
【発明の効果】
【０００９】  本発明によれば、スフレ様のケーキの製造者は、長期間保存が可能で、いつでも焼きたてのスフレのように柔らかく滑らかな食感の製品を食べることができるようになる。
【発明を実施するための最良の形態】
【００１０】  熱凝固性タンパク質をケーキ材料の一部として使用し、卵の代替え、およびホイッピング性を改善する。【００１１】  熱凝固性タンパク質としては大豆タンパク、卵、乳蛋白質などを使用することができる。【００１２】  乳化起泡剤は全原料をすべて一緒にホイッピングするときに、不可欠な材料となり、食感を滑らかで柔らかくする。
【実施例】
【００１３】本発明のスフレ様のケーキを作成するに当り熱凝固性タンパクとして分離ホエープロテインを使用、乳化起泡剤としてユニテックス（旭東化学産業株式会社製）を使用した。【００１４】表１の配合で、ミキシングボウルに材料を順に投入、混合して行き、縦型ミキサーにて中速８分間ホイッピングし、比重約０．４〜０．４６の生地を調整した。【００１５】この生地をレトルト可能なプラスチックカップ（約１００ｍｌ）に充填し、ヒートシール密封。レトルト加熱殺菌機にて含気レトルト加熱１２１℃２０分間を行った。【００１６】得られたスフレ様のケーキは通常の焼成スフレと比較し、外観、組織、食感、味ともに遜色なく良好で、１ケ月後、６ケ月後も変化がほとんどなく、良好な製品を得た。【００１７】
【表１】
2012170452.tif 000002
(57)【要約】      （修正有）【課題】途中で小魚に餌を取られず目的の水深までかくじつに沈めることのできる餌保護装置を提供する。【解決手段】カプセルボデー１に、一定な内圧を持ったジャバラ２を設置するために、ジャバラ２の上部にネジ３を設置する。ネジ３と深度調整プレート４でカプセルボデー１に固定する。水深の圧力によりジャバラ２が圧縮され、ジャバラ２の下部に設置した開きフック５が移動し、開閉ワッシャ６をロックカム７より外す、保護アーム８はロックカム７が開閉ワッシャ６より外れることにより支点９をかえしスプリング１０の力により保護アーム８を開くことができる。【選択図】図１
2012170460.tif 000002
【特許請求の範囲】
【請求項１】
開閉可能にした構成体で出来た装置。
【請求項２】
一定圧力が内部に入ったジヤバラにより、水深によるジャバラの圧縮の変化により、開閉できる構成体で出来た装置。
【発明の詳細な説明】
【技術分野】
【０００１】  この発明は、釣針に付けた餌を、目的の水深までに小魚に餌を取られないように保護する方法に関する。
【背景技術】
【０００２】  従来の魚釣りにおいては、釣針に付けた餌をむき出しの状態で目的の水深まで沈めていたため、途中で小魚に取られ目的とする水深の魚が取ることが出来なかった。
【発明の概要】
【発明が解決しようとする課題】
【０００３】  魚釣りにおいて、釣針に付けた餌を目的の水深まで、小魚に取られないようにする方法を提供することを課題とする。
【課題を解決するための手段】
【０００４】  以上の課題を解決するために、第一発明は、釣針に付けた餌を保護する開閉式のカプセセル装置である。
また、第二発明は、開閉式カプセルが目的の水深に到達したら開かすために、水深による水圧を検知し、一定の内圧を持ったジャバラが水深の変化による圧力により、圧縮される変化により開閉式カプセルを開く事ができる装置である。
【発明の効果】
【０００５】  第一発明、またわ第二発明によれば、開閉式カプセルに収納された釣針に付けた餌は、目的の水深まで到達してカプセルが開くため、途中で小魚に取られることなく魚釣りができる。
【図面の簡単な説明】
【０００６】
【図１】この発明の一実施形態を示す閉じた時の断面図である。
【図２】この発明の一実施形態を示す開いた時の断面図である。
【発明を実施するための形態】
【０００７】  この発明の一実施形態を、図１に示す。
カプセルボデー１に、一定な内圧を持ったジャバラ２を設置するために、ジャバラ２の上部にネジ３を設置する。ネジ３と深度調整プレート４でカプセルボデー１に固定する。水深の圧力によりジャバラ２が圧縮され、ジャバラ２の下部に設置した開きフック５が移動し、開閉ワッシャ６をロックカム７より外す、保護アーム８はロックカム７が開閉ワッシャ６より外れることにより支点９をかえしスプリング１０の力により保護アーム８を開くことができる。
【０００８】  目的の深度に到達した時に保護アーム８を開くために、開きフック５と開閉ワッシャ６の隙間の距離を深度に合わせてネジ３を回転し深度調整プレート４によりカプセルボデー１に固定する。開きフック５と開閉ワッシャ６の隙間の距離によりジャバラ２が目的の深度に到達した時にジャバラ２が圧縮され保護アーム８を開かすことができる。
【０００９】  開きフック５の下部に取り付けられた釣り針フック１１に餌を取り付けた釣り針１２を取り付。また保護アーム８の空間に撒餌１４も収納することができる。
【００１０】  ネジ３の上部に取り付けられた道糸フック１５に道糸１６を取り付る。
【００１１】  使用後水面上に引き上げたカプセルボデー１は、保護アーム８が開いた状態であり、再使用するときは保護アーム内に釣り針に餌をつけ、撒餌を収納し保護アーム８を閉じて開閉ワッシヤ６をロックカム７にセットする、開閉ワッシャ６にロックカム７がセットされると保護アーム８は閉じたまま保持される、ジャバラ２は水面上では水圧に開放され元の形状にもどるため何回でも使用することができる。
【００１２】  図２は、目的の深度に到達した時にジヤバラ２が圧縮され、開きフック５が開閉ワッシャ６をロックカム７より外し、スプリング１０により保護アーム８が開いた時の形態を示す。
【実施形態の効果】
この実施形態によれば、開閉式カプセルに収納された、釣針に付けた餌と撒餌は目的の水深まで到達してカプセルが開くため、途中で小魚に取られることなく魚釣りができる。
【符号の説明】
【００１３】１  カプセルボデー
２  ジャバラ
３  ネジ
４  深度調整プレート
５  開きフック
６  開閉ワッシャ
７  ロックカム
８  保護アーム
９  支点
１０  スプリング
１１  釣り針フック
１２  釣り針
１３  餌
１４  撒餌
１５  道糸フック
１６  道糸
【図１】
2012170460.tif 000003
【図２】
2012170460.tif 000004
(57)【要約】【課題】ペットが首輪や胴輪で不快になるのを防ぐと同時に、飼い主の手間、作業を軽減し、効率化する。【解決手段】ペットに着せる、又は日常から着ている衣服に係留できる機能、器具をつける。【選択図】図１
2012170457.tif 000002
【特許請求の範囲】
【請求項１】
犬、猫、及び愛玩動物、ペット等の係留時、又は散歩時または日常時等において首輪、胴輪などをせずに、直接洋服、衣服に係留できる機能を備える、
ことを特徴とする洋服、衣服、衣類。
【請求項２】
請求項１に述べた洋服、衣服、衣類に係留、散歩などの時に使用するリード、鎖、紐などを引っ掛けることが出来る器具を装着している、
ことを特徴とする洋服、衣服、衣類。
【発明の詳細な説明】
【技術分野】
【０００１】本発明はペットが散歩に行くときや、係留されているとき等に首輪、胴輪などをしなくても済むようにした洋服、衣服、衣類に関する。
【背景技術】
【０００２】ペットの係留や散歩時には首輪や胴輪などをするのが通例だが、ペットも首輪及び胴輪などされたら気持ちのいいものではない、またそれらを装着する手間も有る。
【発明の開示】
【０００３】｛０００２｝でも述べた問題を解決するべく、日常時より着ている洋服、衣服、衣類に、係留できる機能をもたせる。
【課題を解決するための手段】
【０００４】ペットに着せる、または日常着ている衣服に係留できる機能をつける。
【発明の効果】
【０００５】ペットに着せる、洋服、衣服、衣類に係留する機能をつけることにより、飼い主の手間も省け、ペットも首輪や胴輪をされて苦しい、嫌な気持ちにならなくて済む。
手間もなく、ペットも嫌な気持ちにならず、首輪や胴輪などを余分に購入することも無くなり、すべてが良い方にいく。
【発明を実施するための最良の形態】
【０００６】ペットの係留や散歩時には首輪や胴輪などをするのが通例だが、ペットも首輪及び胴輪などされたら気持ちのいいものではない、またそれらを装着する手間も有る。日常着せている衣服にリードや鎖、紐等を掛ける機能があれば、手間も無く、首輪や胴輪等をしなくても済むので、ペット側も飼い主側もどちらにも非常にメリットがある。
【図面の簡単な説明】
【０００７】
【図１】ペットも楽々  楽しい洋服  をペットに着せた状態を説明する、左斜め前方より見た図
【図２】ペットも楽々  楽しい洋服  を左斜め前方より見た図
【図３】ペットも楽々  楽しい洋服  を上側より見た図
【図４】｛図４−ア｝ペットも楽々  楽しい洋服  の前開きのタイプを上側より見た図  ｛図４−イ｝ペットも楽々  楽しい洋服  の前開きタイプの開きを閉じた時に上側より見た図
【符号の説明】
【０００８】Ａ    リード、鎖、紐等を掛ける器具
【図１】
2012170457.tif 000003
【図２】
2012170457.tif 000004
【図３】
2012170457.tif 000005
【図４】
2012170457.tif 000006
(57)【要約】【課題】吊下げ型ハンギングバスケットは、上下および全周から満遍なく花葉を鑑賞できるが、その生育時に底面、裏面において光量が不足しがちである。本発明は、これを解消し生育と花付きを促進する吊下げ型ハンギングバスケット用集光装置を提供する。【解決手段】アルミ箔による吊下げ型ハンギングバスケット用の反射、集光装置であって、上部を凹の曲面に下部を凹の四半球面に形成することで、ハンギングバスケットの底面、裏面に光を供給する吊下げ型ハンギングバスケット用集光装置。【選択図】図１
2012170453.tif 000002
【特許請求の範囲】
【請求項１】
アルミ箔による吊下げ型ハンギングバスケット用の反射、集光装置であって、下部を凹の四半球面に形成することで、ハンギングバスケットの底面、裏面に光を供給する吊下げ型ハンギングバスケット用集光装置。
【発明の詳細な説明】
【技術分野】
【０００１】  本発明は吊下げ型ハンギングバスケットの底面、裏面の光不足を解消し生育と花付きを促進する吊下げ型ハンギングバスケット用集光装置に関するものである。
【背景技術】
【０００２】  吊下げ型ハンギングバスケットでの草花の育成は、球形の姿形を造り上下および全周から満遍なく鑑賞することを目的としている。
【発明の概要】
【発明が解決しようとする課題】
【０００３】  吊下げ型ハンギングバスケットは、上下および全周から満遍なく花葉を鑑賞できるが、その生育時に底面、裏面において光量が不足しがちである。このため生育期間が延びて、未成熟な姿を長期に呈するとともに、光量のバラつきから正しい球形をなさず、花付きも整わないという状況を生じる。これを防ぐためには、頻繁に吊下げ型ハンギングバスケットの向きを変える必要があるが、バランスの調整はできても、別の部分が裏面に回ることで、吊下げ型ハンギングバスケットの受ける光量自体は増加しない。
本発明は、以上の問題点を解決するためになされたものである。
【課題を解決するための手段】
【０００４】  アルミ箔による吊下げ型ハンギングバスケット用の反射、集光装置であって、下部を凹の四半球面に形成することで、ハンギングバスケットの底面、裏面に光を供給する吊下げ型ハンギングバスケット用集光装置。
【発明の効果】
【０００５】  ハンギングバスケットの受ける光量を増加させ、また光量のバランスを改善させることで、植物の健全な育成を促進して姿形を整え、花付きを良くし、生育期間を短縮して鑑賞期間を延ばすことから、より長く花姿を楽しめる。
【図面の簡単な説明】
【０００６】
【図１】本発明の使用状態の斜視図
【図２】本発明の頒布状態の平面図
【発明を実施するための形態】
【０００７】以下本発明の実施の形態を説明する。
本発明は一枚のアルミ箔板で上下異なる曲面を形成し、３本の吊り糸（１）により、ハンギングバスケット（６）の背面、底面を若干の距離を空けて覆う反射板である。図２に示すような、必要な強度を持たせたアルミ箔板の全体を背面へ効率よく反射光を得るように、ハンギングバスケット（６）より大きな半径で背後から覆うように緩やかな曲面を形成する。また下端にある複数の切込み（２）の先端を重ね合わせてホッチキス等で留め、底面および背面下部への集光を図るように凹の四半球面を形成する。吊り糸（１）のアルミ箔板への取り付けは、糸通し孔（３）に通して留棒（４）に取り付けることで、アルミ箔版への取り付け部分への風による負担を軽減し、この部分が破損しにくい構造としている。
本発明は以上のような構造である。
本発明を使用するときは、図２に示すように本体上部および側部から伸びる３本の吊り糸（１）先端の鉤（５）により、ハンギングバスケット（６）に取り付ける。ハンギングバスケット（６）は針金の格子で形成されていることから、遠近任意の場所に鉤（５）を取り付けることができる。また、吊り糸（１）は必要に応じて結び目を作って短縮する。取り付けに当たっては、まず側部の２本の吊り糸（１）を取り付ける。これは側部中央よりやや下から伸びていることから、上部が仰向けに垂れ下がるので、適宜上部の吊り糸（１）を引き上げてハンギングバスケット（６）に留めることで、適切な設置位置を得ることができる。このように、設置条件、設置時期に合わせて適宜集光のための設置角度を調整することができ、底面背面が最も明るくなるように調整することで植物の育成を促進することができる。
【符号の説明】
【０００８】１  吊り糸、２  切込み、３  糸通し孔、４  留棒、５、鉤、６  ハンギングバスケット
【図１】
2012170453.tif 000003
【図２】
2012170453.tif 000004
(57)【要約】【課題】  顎ベルトを用いたマスクの装着方法で、顎の形状による顎ベルトの脱落を防止する方法の提供。【解決手段】  これまでマスク本体に直接接続していた耳掛けひもとマスク本体の４カ所の接続点を、耳掛けひもとマスク本体の接続点を２ヶ所とし、耳掛けひもと顎ベルトの接続点を２カ所とし、左右の耳掛けひもがそれぞれマスク本体と顎ベルト部分を結ぶ形になるようにする。【選択図】図１
2012170814.tif 000002
【特許請求の範囲】
【請求項１】
耳掛けひもとマスク本体の接続点を２ヶ所とし、耳掛けひもと顎ベルトの接続点を２カ所とすることで、耳掛けひもがアゴベルトを顎の内側に引っ張ることでマスク用顎ベルトの脱落を防止する方法および器具。
【発明の詳細な説明】
【技術分野】
【０００１】  本発明は、顎ベルトを用いたマスクの脱落防止方法に関するものである。
【背景技術】
【０００２】  顎用のベルトをマスク本体に装着または一体形成しマスクを顎部に装着する方法があるが、顎の形状によって顎ベルトが外れる問題があった。
【発明の概要】
【発明が解決しようとする課題】
【０００３】  顎ベルトを用いたマスクの装着方法で、簡単な構成にて顎の形状による顎ベルトの脱落を防止する方法を提供する。
【課題を解決するための手段】
【０００４】  これまでマスク本体に直接接続していた耳掛けひもとマスク本体の４カ所の接続点を、耳掛けひもとマスク本体の接続点を２ヶ所とし、耳掛けひもと顎ベルトの接続点を２カ所とし、左右の耳掛けひもがそれぞれマスク本体と顎ベルト部分を結ぶ形になるようにする。【０００５】  耳掛けひもとマスク本体および耳掛けひもとアゴベルトの接続は、各々が一体成形でも良いし、接着や融着でもよく、または接続用の部品を用いても良いし、耳掛けひもを結ぶなどの方法でも良い。
【発明の効果】
【０００６】  耳掛けひもが顎ベルトを顎の内側に引っ張ることであごベルトの脱落を防止する。
【図面の簡単な説明】
【０００７】
【図１】本発明に係るマスク用顎ベルトの脱落防止方法を実施し、マスク本体、顎ベルト、耳掛けひもを一体形成したマスクの平面図
【符号の説明】
【０００８】  １  マスク本体
２  耳かけひも部分
３  顎ベルト部分
４  耳掛けひもとマスク本体の接続点
５  耳掛けひもと顎ベルトの接続点
【図１】
2012170814.tif 000003
(57)【要約】      （修正有）【課題】衣服を汚さずに自分で背中に薬を塗ることができる道具を提供する。【解決手段】本体１にスライドするアーチカバー４を装着し、カバーの先端にＵ字型切り欠き部５を設ける。本体中程にガイド２を設けスライドカバーがガイドを通りひも３で上下できるように構成する。本体先端に薬を塗り、スライドカバーをスライドさせおおう。カバーのアーチを背中に向け衣服と背中の間にさし入れる。ひもを引っぱり、アーチカバーをスライドさせ、薬を塗る。【選択図】図１
2012170816.tif 000002
【特許請求の範囲】
【請求項１】
長い板状の本体にＵ字型切り欠き部を設けたスライドするアーチカバーを装着し、ひもを介して上下するように構成したことを特徴とする背中用塗薬用具。
【発明の詳細な説明】
【技術分野】
【０００１】本発明は、背中の手の届かないところに自分で薬を塗る道具に関するものである。
【背景技術】
【０００２】従来、背中を掻く孫の手というものは市販されているが、自分で背中に薬を塗る道具というものはなかった。
【先行技術文献】
【０００３】なし
【発明の概要】
【発明が解決しようとする課題】
【０００４】自分で背中に薬を塗りたくても、高齢のためかゆいところに手がしっかり届かない。
頼める家族がいない、薬が衣服に付着してしまう、等の問題点があった。
本発明は以上の問題点を解決し、衣服に薬を付着させることなく自分で背中に薬をぬれるようにしたものである。
【課題を解決するための手段】
【０００５】本体にスライドするアーチカバーを装着し、カバーの先端にＵ字型切り欠き部を設ける。本体中程にガイドを設けスライドカバーがガイドを通りひもで上下できるように構成する。
本体先端に薬を塗り、スライドカバーをスライドさせおおう。カバーのアーチを背中に向け衣服と背中の間にさし入れる。ひもを引っぱり、アーチカバーをスライドさせ、薬を塗る。
【発明の効果】
【０００６】スライドするアーチカバーを装着したことで、衣服を汚さずに自分で背中に薬を塗ることができる。
カバーに切り欠き部を設けたことで塗布した薬にさわらずにカバーを上下できる。
【図面の簡単な説明】
【０００７】
【図１】本発明の斜視図
【図２】本発明の側面図
【発明を実施するための形態】
【０００８】以下、本発明の実施の形態について説明する。
（イ）本体（１）にスライドアーチカバー（４）を装着し、その先端にＵ字型切り欠き部（５）を設ける。
（ロ）本体（１）にガイド（２）を設け、スライドアーチカバー（４）がガイド（２）を通り、ひも（３）で上下できるようにする。
（ハ）本体先端の塗布部分（６）に薬を塗り、スライドアーチカバー（４）をスライドさせおおう。
本発明は以上のような構成で、これを使用する時は、薬塗布部分（６）に薬を塗り、スライドアーチカバー（４）をスライドさせかぶせ、アーチを背中に向け衣服の間にさし入れる。カバーのアーチの丸みで背中のかゆいところを確認し、カバーを引き上げ薬を塗る。
【符号の説明】
【０００８】１  本体
２  ガイド
３  ひも
４  スライドアーチカバー
５  Ｕ字型切り欠き部
６  塗布部分
【図１】
2012170816.tif 000003
【図２】
2012170816.tif 000004